(57)【特許請求の範囲】
【請求項１】
ユーザから放出されたガスに含まれるアセトンの濃度を取得する取得部と、あらかじめ決定された、アセトン濃度とカロリー収支との相関関係に基づき、前記取得されたアセトンの濃度に対応するカロリー収支を推定する推定部と、
前記推定部による推定結果を用いて所定の処理を実行する処理実行部と
を備える情報処理装置。
【請求項２】
前記推定部は、前記アセトン濃度が測定された時点から所定時間前までのカロリー収支の値、範囲及び正負の少なくともいずれかを推定する
ことを特徴とする請求項１に記載の情報処理装置。
【請求項３】
前記推定部は、前記アセトン濃度の値を、当該値が測定された時点よりも前の所定時点のアセトン濃度の値に変換し、当該所定時点を終期とする１日分のカロリー収支の値、範囲及び正負の少なくともいずれかを推定する
ことを特徴とする請求項１に記載の情報処理装置。
【請求項４】
前記ユーザについて所定の期間に渡って実測されたアセトン濃度とカロリー収支とに基づいて、当該ユーザに応じた前記相関関係を算出する算出部を備え、
前記推定部は、前記算出された相関関係を用いて前記ユーザのカロリー収支を推定する
ことを特徴とする請求項１ないし３のいずれか１項に記載の情報処理装置。
【請求項５】
前記ユーザ又は当該ユーザを含む複数のユーザについて実測されたアセトン濃度とカロリー収支とに基づいて前記相関関係を補正する補正部を備え、
前記推定部は、前記補正された相関関係を用いて前記ユーザのカロリー収支を推定する
ことを特徴とする請求項１ないし３のいずれか１項に記載の情報処理装置。
【請求項６】
前記取得部は、前記ユーザの消費カロリー又は摂取カロリーをアセトン濃度とともに取得し、
前記推定部は、前記取得された消費カロリー及びアセトン濃度に基づいて摂取カロリーを推定し、又は前記取得された摂取カロリー及びアセトン濃度に基づいて消費カロリーを推定する
ことを特徴とする請求項１ないし５のいずれか１項に記載の情報処理装置。
【請求項７】
前記ガスは、皮膚又は粘膜から発せられるガス成分と呼気のガス成分とを含む
ことを特徴とする請求項１ないし６のいずれか１項に記載の情報処理装置。
【請求項８】
ユーザから放出されるガスに含まれるアセトンの濃度を測定する測定部と、
あらかじめ決定された、アセトン濃度とカロリー収支との相関関係に基づき、前記測定されたアセトン濃度に対応するカロリー収支を推定する推定部と、
前記推定されたカロリー収支に応じた情報を通知する通知部と
を備えるカロリー管理システム。
【請求項９】
コンピュータが、ユーザから放出されるガス成分のアセトン濃度を測定し、
あらかじめ求められたアセトン濃度とカロリー収支との相関関係に基づき、前記測定されたアセトン濃度に対応するカロリー収支を推定し、
前記推定されたカロリー収支に応じた情報を通知する
カロリー収支推定方法。
【請求項１０】
コンピュータに、
ユーザから放出されて測定されたガス成分のアセトン濃度を取得する第１ステップと、
あらかじめ求められたアセトン濃度とカロリー収支との相関関係に基づき、前記取得されたアセトン濃度に対応するカロリー収支を推定する第２ステップと、
前記第２ステップにおける推定結果を用いて所定の処理を実行する第３ステップと
を実行させるためのプログラム。
【発明の詳細な説明】
【技術分野】
【０００１】
本発明は、ユーザによるカロリー（すなわちエネルギー）の消費又は摂取を管理するための技術に関する。
【背景技術】
【０００２】
近年、食事、喫煙、飲酒などの生活習慣が発症の原因となる生活習慣病が深刻化している。また、生活習慣病になるリスクを上昇させる肥満については、さまざまな予防策や改善策が研究されている。【０００３】
一般に、肥満を予防ないし抑制するためには、カロリー収支のコントロールが重要であるとされている。カロリー収支とは、摂取カロリーから消費カロリーを減じた差をいい、カロリーバランスともいう。また、消費カロリーには、基礎代謝によるものと身体活動（運動等）によるものとが含まれる。【０００４】
減量するためには、カロリー収支がマイナスになる（すなわち、消費カロリーが摂取カロリーよりも多くなる）ように食事や運動を管理する必要がある。しかし、カロリー収支のうち、基礎代謝については体重から計算可能であるものの、食事による摂取カロリーや身体活動による消費カロリーについてはユーザが逐一記録する必要がある。それゆえ、ユーザにとっては、カロリー収支を継続的に管理することが困難である場合が多い。【０００５】
このような背景に鑑み、消費カロリーや摂取カロリーを比較的簡便に推定するためのさまざまな方法が試みられている。例えば、特許文献１には、（酸素摂取量より比較的簡便に測定可能な）心拍数から酸素摂取量を推定し、この酸素摂取量に基づいてカロリー消費量を推定することが記載されている。また、特許文献２には、入力された料理名に対応する食事管理データ（カロリー等）を導出する食事管理システムにおいて、登録されていないセットメニューが入力された場合であっても、そのセットメニューに対応する食事管理データを推定することが記載されている。
【先行技術文献】
【特許文献】
【０００６】
【特許文献１】特開２０１４−１９５７１１号公報
【特許文献２】特開２００９−０３７３４２号公報
【発明の概要】
【発明が解決しようとする課題】
【０００７】
特許文献１、２に記載された発明は、それぞれ、消費カロリー及び摂取カロリーの一方の推定に寄与するものであるが、カロリー収支を推定可能なものではない。よって、特許文献１、２に記載された発明によってカロリー収支を推定するためには、消費カロリー及び摂取カロリーの一方を推定により求め、他方をユーザ自身が記録するか、各々による推定を組み合わせて用いる必要がある。
そこで、本発明は、ユーザによるカロリー収支の管理を従来よりも容易にする技術を提供することを目的とする。
【課題を解決するための手段】
【０００８】
本発明は、ユーザから放出されたガス成分のアセトン濃度を取得する取得部と、あらかじめ決定された、アセトン濃度とカロリー収支との相関関係に基づき、前記取得されたアセトン濃度に対応するカロリー収支を推定する推定部と、前記推定部による推定結果を用いて所定の処理を実行する処理実行部とを備える情報処理装置を提供する。【０００９】
また、前記推定部は、前記ユーザのアセトン濃度が測定された時点から所定時間前までのカロリー収支の値、範囲及び正負の少なくともいずれかを推定してもよい。
また、前記推定部は、前記測定されたアセトン濃度の値を、当該値が測定された時点よりも前の所定時点のアセトン濃度の値に変換し、当該所定時点を終期とする１日分のカロリー収支の値、範囲及び正負の少なくともいずれかを推定してもよい。
また、前記情報処理装置は、前記ユーザについて所定の期間に渡って実測されたアセトン濃度とカロリー収支とに基づいて、当該ユーザに応じた前記相関関係を算出する算出部を備え、前記推定部は、前記算出された相関関係を用いて前記ユーザのカロリー収支を推定してもよい。
また、前記情報処理装置は、前記ユーザ又は当該ユーザを含む複数のユーザについて実測されたアセトン濃度とカロリー収支とに基づいて前記相関関係を補正する補正部を備え、前記推定部は、前記補正された相関関係を用いて前記ユーザのカロリー収支を推定してもよい。
また、前記取得部は、前記ユーザの消費カロリー又は摂取カロリーをアセトン濃度とともに取得し、前記推定部は、前記取得された消費カロリー及びアセトン濃度に基づいて摂取カロリーを推定し、又は前記取得された摂取カロリー及びアセトン濃度に基づいて消費カロリーを推定してもよい。
また、前記ガスは、皮膚又は粘膜から発せられるガス成分と呼気のガス成分とを含んでもよい。【００１０】
また、本発明は、ユーザから放出されるガス成分のアセトン濃度を測定する測定部と、あらかじめ決定されたアセトン濃度とカロリー収支との相関関係に基づき、前記測定されたアセトン濃度に対応するカロリー収支を推定する推定部と、前記推定されたカロリー収支に応じた情報を通知する通知部とを備えるカロリー管理システムを提供する。【００１１】
また、本発明は、コンピュータが、ユーザから放出されるガス成分のアセトン濃度を測定し、あらかじめ決定されたアセトン濃度とカロリー収支との相関関係に基づき、前記測定されたアセトン濃度に対応するカロリー収支を推定し、前記推定されたカロリー収支に応じた情報を通知するカロリー収支推定方法を提供する。
【００１２】
また、本発明は、コンピュータに、ユーザから放出されて測定されたガス成分のアセトン濃度を取得する第１ステップと、あらかじめ求められたアセトン濃度とカロリー収支との相関関係に基づき、前記取得されたアセトン濃度に対応するカロリー収支を推定する第２ステップと、前記第２ステップにおける推定結果を用いて所定の処理を実行する第３ステップとを実行させるためのプログラムを提供する。
【発明の効果】
【００１３】
本発明によれば、ユーザによるカロリー収支の管理を従来よりも容易にすることが可能である。
【図面の簡単な説明】
【００１４】
【図１】呼気ガス中のアセトン濃度とカロリー収支の相関関係を示すグラフ
【図２】カロリー管理システム１０の構成を示すブロック図
【図３】測定装置１００のハードウェア構成を示すブロック図
【図４】計算装置２００のハードウェア構成を示すブロック図
【図５】カロリー管理システム１０の構成を機能的に示すブロック図
【図６】カロリー管理システム１０の動作を示すシーケンスチャート
【図７】カロリー管理システム１０の変形例を示すブロック図
【図８】カロリー管理システム１０の変形例を示すブロック図
【発明を実施するための形態】
【００１５】
［発明の要旨］
本発明の主たる特徴は、人体から放出される気体に含まれるアセトンの濃度（以下単に「アセトン濃度」ともいう。）に基づいてカロリー収支を推定する点にある。本発明の発明者らは、カロリー収支の管理を容易にするという課題を解決するための手段を検討した結果、アセトン濃度とカロリー収支との間に相関関係があることを発見した。ここにおいて、人体から放出される気体とは、皮膚又は粘膜から発せられるガスや呼気を含み、生体ガスなどともいう。
【００１６】
アセトンは、生体において体脂肪の燃焼・分解によって生成される代謝産物である。アセトンは、代謝によって血中に放出された後、肺、皮膚、粘膜などを通じて生体ガスとして体外に排出されることが知られている。したがって、生体ガス中のアセトン濃度を測定することは、体脂肪の燃焼状況を把握するために有用であるといえる。なお、呼気ガスのアセトン濃度と皮膚ガスのアセトン濃度との間には相関があることが知られている（例えば、C. Turner et al., Rapid Communications in Mass Spectrometry, vol.22, pp.526-532, 2008）。
【００１７】
本発明の発明者らは、呼気ガスのアセトン濃度と１日のカロリー収支の関係を特定するために、数十名の健康な成人被験者を対象に、呼気ガスのアセトン濃度の測定と食事及び身体活動量の記録を６０日間に渡って実行する実験を実施した。なお、呼気ガスのアセトン濃度の測定は、任意のタイミングで行われてもよいが、起床直後から朝食前の間に行うのが最も望ましい。また、被験者は、実験期間中、飲食の内容と量を全て記録することにより摂取カロリーを算出するとともに、活動量計を常時携行することにより消費カロリーを算出した。なお、基礎代謝量の算出は、厚生労働省の「日本人の食事摂取基準（２０１５年版）」に従い、［体重］×［基礎代謝基準値］の式を用いた（表１参照）。
【表１】
0006609573.tif 000002
【００１８】
図１は、この実験結果の典型例を示すグラフ（検量線）である。このグラフは、被験者の起床時の呼気ガスのアセトン濃度と前日のカロリー収支の関係を表したグラフである。ここにおいて、カロリー収支は、「［摂取カロリー量］−（［基礎代謝量］＋［身体活動による消費カロリー量］）」であるとし、図１においては５００kcal毎に区分して各区分の平均値を表した。
【００１９】
図１に示す検量線は、カロリー収支をｘ［kcal］、アセトン濃度をｙ［ppm］とした場合、ｙ＝（−７．４０×１０-4）ｘ＋１．０５で表される。ここで、呼気ガスのアセトン濃度の測定値が０．８ppmであった場合、この一次関数に測定値を代入すると、カロリー収支は３３８kcalであると推定される。一方、被験者によって実際に記録された食事と身体活動に基づいて求められたカロリー収支の実測値は、２９７kcalであった。したがって、カロリー収支の推定値と実測値は、いずれも０〜５００kcalの区分に分類されることが確認された。
【００２０】
このように、ある期間（例えば２４時間）におけるカロリー収支区分と呼気ガスのアセトン濃度との間には一定の相関があることが確認された。なお、図１のグラフから得られた決定係数（Ｒ2）は「０．９９」である。これにより、呼気ガス（生体ガス）のアセトン濃度を測定するだけで所定期間のカロリー収支を推定できることが明らかになった。
【００２１】
なお、図１に示した区分の範囲は、あくまでも一例である。カロリー収支の区分の範囲は、これより広い範囲であっても狭い範囲であってもよく、例えば３００kcal毎に区分されてもよい。また、アセトン濃度とカロリー収支の相関関係は、必ずしも直線近似される必要はなく、曲線的になってもよい。
【００２２】
［実施例］
図２は、本発明の一実施例に係るカロリー管理システム１０の構成を示すブロック図である。カロリー管理システム１０は、測定装置１００と、計算装置２００とを備え、これらをネットワーク３００を介して互いに接続した構成を有するシステムである。測定装置１００は、ユーザから放出される生体ガスのアセトン濃度を測定するための装置である。また、計算装置２００は、生体ガスのアセトン濃度とカロリー収支の相関関係に基づいてカロリー収支を推定するための装置である。ネットワーク３００は、測定装置１００と計算装置２００との間でデータを送受信するための通信ネットワークであり、インターネットや移動体通信網を含み得る。
【００２３】
なお、カロリー管理システム１０は、測定装置１００を複数備えてもよい。すなわち、カロリー管理システム１０は、複数のユーザによって測定された各々のアセトン濃度に基づいて、それぞれのユーザのカロリー収支を推定するように構成されてもよい。
【００２４】
図３は、測定装置１００のハードウェア構成を示すブロック図である。測定装置１００は、アセトン濃度を測定するとともに、カロリー収支の推定結果に応じた情報を表示する装置である。測定装置１００は、携帯型、据置型のいずれであってもよい。また、測定装置１００は、スマートフォン、タブレットコンピュータなどの汎用的な電子機器（通信端末）を用いて構成されてもよいし、専用の測定装置（ガスクロマトグラフィー装置、イオン移動度分光分析装置など）であってもよい。測定装置１００は、制御部１１０と、センサ部１２０と、通信部１３０と、操作部１４０と、表示部１５０とを備える。
【００２５】
制御部１１０は、測定装置１００の各部の動作を制御する手段である。制御部１１０は、ＣＰＵ（Central Processing Unit）などの演算処理装置と揮発性及び不揮発
性のメモリとを備え、所定のプログラムを実行することによって測定装置１００の各部の動作を制御する。
【００２６】
センサ部１２０は、生体ガスに含まれる特定成分の濃度を測定する手段である。センサ部１２０は、アセトン濃度を測定する機能を少なくとも有する。センサ部１２０は、半導体式ガスセンサのような比較的小型のセンサによって構成されてもよいが、これに限定されない。
【００２７】
通信部１３０は、計算装置２００とデータを送受信する手段である。通信部１３０は、例えば、無線通信用のベースバンドプロセッサやアンテナを備え、ネットワーク３００に応じた変調及び復調を行ってデータを送受信する。あるいは、通信部１３０は、ネットワーク３００に有線接続されてもよい。
【００２８】
操作部１４０は、ユーザの操作を受け付ける手段である。操作部１４０は、例えば、キーボード（キーパッド）、マウス、スイッチなどである。また、操作部１４０は、タッチスクリーンディスプレイを含んでもよい。
【００２９】
表示部１５０は、情報を表示する手段である。表示部１５０は、例えば液晶ディスプレイであるが、液晶以外の表示素子を用いたものであってもよい。また、上述したように、表示部１５０は、タッチスクリーンディスプレイとして、すなわち操作部１４０の機能を兼ね備えるように構成されてもよい。
【００３０】
図４は、計算装置２００のハードウェア構成を示すブロック図である。計算装置２００は、例えば、カロリー収支を推定する機能を有するサーバ装置である。計算装置２００は、制御部２１０と、記憶部２２０と、通信部２３０とを備える。
【００３１】
制御部２１０は、計算装置２００の各部の動作を制御する手段である。また、制御部２１０は、データを解析し、ユーザのカロリー収支を推定する機能を有する。制御部２１０は、ＣＰＵなどの演算処理装置と揮発性及び不揮発性のメモリとを備え、所定のプログラムを実行することによってデータの解析等を実行する。
【００３２】
記憶部２２０は、データを記憶する手段である。記憶部２２０は、ハードディスクなどの記憶媒体を備え、制御部２１０に用いられるデータ（プログラムなど）を記憶する。また、記憶部２２０は、ユーザデータを記憶している。ユーザデータは、ユーザによってあらかじめ登録された情報や、ユーザに関連付けられた情報である。例えば、ユーザデータには、測定装置１００によって測定されたアセトン濃度が含まれる。また、ユーザデータには、ユーザを識別するための識別子（ＩＤ）、アセトン濃度の測定日時などに加え、ユーザの性別、年齢、身長、体重、ＢＭＩ（Body Mass Index）、体脂肪率、身体
活動量、基礎代謝、血糖値、ＨｂＡ１ｃ値などを含んでもよく、さらには電子スケジューラに登録されたユーザの予定や飲食及び運動の履歴（すなわちカロリーの摂取及び消費の履歴）を含んでもよい。また、ユーザの既往歴などの医療情報が電子データ（いわゆる電子カルテ）として入手可能である場合には、これをユーザデータに含んでもよい。
【００３３】
また、記憶部２２０は、アセトン濃度とカロリー収支の相関関係を示す相関データを記憶している。相関データは、例えば、図１に示した検量線を表すデータである。相関データは、入力されたアセトン濃度に対応するカロリー収支を出力するためのテーブルであってもよいが、データの表現形式については特に限定されない。
なお、相関データは、後述するようにユーザ毎に異なっていてもよい。この場合、相関データは、ユーザデータの一部としてもよい。
【００３４】
通信部２３０は、測定装置１００とデータを送受信する手段である。通信部２３０は、例えばＮＩＣ（Network Interface Controller）などを備え、ネットワーク３００を介して測定装置１００との間でデータを授受する。なお、通信部２３０による通信は、無線通信であってもよい。
【００３５】
図５は、カロリー管理システム１０の構成を機能的に示すブロック図である。カロリー管理システム１０は、測定装置１００及び計算装置２００が所定のプログラムをそれぞれ実行することにより、測定部１１、取得部１２、推定部１３、処理実行部１４及び通知部１５として機能することができる。
【００３６】
測定部１１は、ユーザから放出される生体ガスのアセトン濃度を測定する手段である。本実施例においては、センサ部１２０が測定部１１に対応する。なお、測定部１１は、測定装置１００とは別体に、すなわち測定装置１００と有線又は無線で接続されるように構成されてもよい。このような構成の場合の通信手段には、無線ＬＡＮ（Local Area Network）、Bluetooth（登録商標）、ZigBee（登録商標）などの無線通信手段のほか、ＵＳＢ（Universal Serial Bus）ケーブルなどの各種ケーブルを用いることができる。
【００３７】
取得部１２は、測定部１１により測定されたアセトン濃度を取得する手段である。取得部１２は、本実施例においてはネットワーク３００を介してアセトン濃度を取得する。具体的には、取得部１２は、アセトン濃度を示すデータをネットワーク３００を介して受信し、受信したデータに基づいてアセトン濃度を取得し特定することが可能である。
【００３８】
推定部１３は、カロリー収支を推定する手段である。本実施例において、推定部１３は、取得部１２により取得されたアセトン濃度と、記憶部２２０に記憶された相関データとに基づき、取得されたアセトン濃度に対応するカロリー収支を推定する。このとき推定されるカロリー収支は、アセトン濃度が測定された時点から所定時間前までのカロリー収支であり、例えば、アセトン濃度の測定日の前日（すなわち、アセトン濃度を測定した時点から２４時間前まで）のカロリー収支である。なお、ここでいう「推定」とは、カロリー収支の値そのものを求めるものであってもよいが、より概略的ないし抽象的なものであってもよい。例えば、推定部１３は、カロリー収支の値を所定の範囲（レベル）毎に区切り、ユーザのカロリー収支がいずれの範囲に属するかを推定してもよい。あるいは、推定部１３は、カロリー収支の正負を推定するにとどめてもよい。ユーザは、カロリー収支の正負のみであっても、自身のカロリー摂取とカロリー消費のいずれが優勢であるかを知ることが可能である。
【００３９】
処理実行部１４は、推定部１３による推定結果に応じた処理を実行する手段である。処理実行部１４は、例えば、推定部１３による推定結果を表す文字や画像を含むデータを生成し、測定装置１００に送信する処理を実行する。このデータのことを、以下においては「通知データ」という。また、処理実行部１４は、推定部１３による推定結果に応じたメッセージを含む通知データを生成してもよい。例えば、処理実行部１４は、ユーザのカロリー収支が正である場合（すなわち摂取カロリーが優勢である場合）に減量に寄与するヒントやアドバイスを通知したり、ユーザのカロリー収支に応じて食事メニューや運動メニューをリコメンドしたりすることも可能である。
【００４０】
通知部１５は、ユーザのカロリー収支に関する通知を行う手段である。本実施例において、通知部１５は、計算装置２００により生成及び送信された通知データを受信し、受信した通知データに応じた情報（文字又は画像）を表示部１５０に表示させる。なお、ここでいう「通知」は、情報の表示に限定されず、音声の再生によって行われてもよい。また、通知データの具体的形式についても、特に限定されず、例えば電子メールやＳＭＳ（Short Message Service）であってもよい。
【００４１】
カロリー管理システム１０の全体構成は、以上のとおりである。ユーザは、このような構成のカロリー管理システム１０を用いて、生体ガス中のアセトン濃度を測定することによって自己のカロリー収支を知ることが可能である。
【００４２】
図６は、本実施例におけるカロリー管理システム１０の動作を示すシーケンスチャートである。カロリー管理システム１０の使用時において、ユーザは、アセトン濃度の測定を行う。上述したように、アセトン濃度の測定は、起床直後に行うのが望ましい。測定装置１００は、アセトン濃度を測定すると（ステップＳ１）、測定値を計算装置２００に送信する（ステップＳ２）。
【００４３】
計算装置２００は、アセトン濃度の測定値を受信すると、相関データを用いてカロリー収支を推定する（ステップＳ３）。また、計算装置２００は、カロリー収支の推定結果に基づいて通知データを生成し（ステップＳ４）、測定装置１００に送信する（ステップＳ５）。測定装置１００は、受信した通知データに基づいてユーザにカロリー収支を通知する（ステップＳ６）。
【００４４】
［変形例］
上述した実施例は、本発明の実施の一態様である。本発明は、この実施例の態様に限らず、以下に示す他の態様でも実施することが可能である。なお、以下に示す変形例は、必要に応じて、各々を組み合わせることも可能である。
【００４５】
（１）図７は、カロリー管理システム１０の変形例を示すブロック図である。図７に示す構成例は、図５に示す構成と比較すると、算出部１６を備える点において相違し、その他の点において共通する。算出部１６は、アセトン濃度とカロリー収支の相関関係を算出する手段である。具体的には、算出部１６は、特定のユーザについて所定の期間に渡って実測されたアセトン濃度とカロリー収支とに基づいて、当該ユーザに応じた相関データを算出する。例えば、ユーザは、１週間程度アセトン濃度とカロリー収支とを記録して、これを学習期間とする。算出部１６は、この学習期間におけるアセトン濃度とカロリー収支に基づいて、当該ユーザに固有の検量線を算出する。なお、算出部１６は、取得部１２を介して学習期間の記録を取得してもよいが、他の手段を介してもよい。また、この例において、推定部１３は、算出部１６により算出された相関データを用いてカロリー収支を推定する。このようにすれば、統計的に求められた各ユーザに共通の相関データを用いる場合に比べて、個人差を考慮した高精度の推定が可能になる。
【００４６】
（２）図８は、カロリー管理システム１０の別の変形例を示すブロック図である。図８に示す構成例は、図５に示す構成と比較すると、補正部１７を備える点において相違し、その他の点において共通する。補正部１７は、アセトン濃度とカロリー収支の相関関係を算出する手段である。具体的には、補正部１７は、あらかじめ求められた相関データを、アセトン濃度とカロリー収支の実測値に基づいて補正する。例えば、補正部１７は、検量線の傾きについては変えずに、実測値に基づいて検量線の切片を補正するようにしてもよいし、検量線の傾きを補正してもよい。
【００４７】
なお、ここでいう補正は、各ユーザについて相関データを用意し、個々の相関データをそれぞれのユーザの実測値に基づいて補正するものであってもよいし、各ユーザについて共通の相関データを用意し、この相関データを全ユーザの実測値に基づいて補正するものであってもよい。
【００４８】
また、補正部１７は、アセトン濃度以外の情報を用いて補正を行ってもよい。具体的には、補正部１７は、上述したユーザデータを用いて相関データを補正することが可能である。例えば、糖尿病患者は、呼気ガスのアセトン濃度が高くなる傾向があるため、一般的な検量線（すなわち糖尿病患者でない人の検量線）とは傾向が異なる可能性がある。このような場合、補正部１７は、ユーザデータのうちの血糖値や電子カルテなどを参照して糖尿病の有無や進行度を判断し、その判断結果に応じて検量線を補正することも可能である。あるいは、補正部１７は、ユーザのＢＭＩに基づいて検量線を補正してもよい。なぜならば、ＢＭＩが高いほどアセトンが排出されにくい傾向があるためである。このように、補正部１７の補正に用いるパラメータとしては、さまざまなデータが考えられる。
【００４９】
（３）アセトンを測定するタイミングは、起床直後が望ましいが、それ以外のタイミングで測定してもよい。例えば、朝に起床して夕方に測定した場合も、夕方の測定時点から約２４時間前までのカロリー収支を、アセトン濃度とカロリー収支の相関関係を示す検量線に夕方の測定結果をそのまま代入して推定してもよい。
【００５０】
または、ユーザ毎のアセトン濃度の日内変動（２４時間周期での上下動）を示す日内変動データ等をもとに、例えば夕方に測定されたアセトン濃度の値を所定時点（例えば起床直後）の値に変換し、その変換値をアセトン濃度とカロリー収支の相関関係を示す検量線に代入して、当該所定時点を終期とする１日分のカロリー収支を推定し求めてもよい。このようにすれば、所定時点、すなわち決まった時間を基準としたカロリー収支を求めることが可能である。なお、ここでいう「１日分」とは、２４時間ちょうどである必要はなく、例えば、分単位を四捨五入（又は切り上げ・切り捨て）するなどして概数で表したものであってもよい。
【００５１】
（４）本発明を応用することによって、摂取カロリー又は消費カロリーを推定することも可能である。例えば、ユーザがアセトン濃度を測定するとともに消費カロリーを記録した場合、推定されたカロリー収支とこの消費カロリーとに基づいて摂取カロリーを推定（逆算）することが可能である。同様に、ユーザがアセトン濃度を測定するとともに摂取カロリーを記録した場合、推定されたカロリー収支とこの摂取カロリーとに基づいて消費カロリーを推定することも可能である。このようにすれば、ユーザが活動量計などを携行していなくても消費カロリーを推定したり、ユーザが食事の内容を記録しなくても摂取カロリーを推定したりすることが可能になる。
【００５２】
（５）カロリー管理システム１０は、アセトン濃度を測定したユーザとは異なるユーザに推定結果を通知してもよい。例えば、カロリー管理システム１０は、被験者であるユーザと特定の関係（親子など）にある他のユーザに推定結果を通知することも可能である。すなわち、本発明において、被験者たるユーザと通知対象たるユーザとは、必ずしも同一でなくてもよい。
【００５３】
（６）本発明を実施するための構成は、図２に示した構成に限定されない。例えば、本発明は、測定装置１００に相当する機能と計算装置２００に相当する機能とを別体にせずに一体に構成した装置によって実施することも可能である。このようにすれば、ネットワークを介してデータを送受信する必要がなくなる。また、計算装置２００は、センサ部１２０に相当する構成がその他の構成とは別体に構成され、有線又は無線の通信によって互いにデータを授受するように構成されてもよい。
要するに、本発明のシステムは、ユーザから放出されたガス成分に含まれるアセトンの濃度を取得する取得部と、予め定められた、アセトン濃度とカロリー収支との相関関係に基づき、前記取得されたアセトン濃度に対応するカロリー収支を推定する推定部と、前記推定の結果を用いて所定の処理を実行する処理実行部とを備えていればよい。
【００５４】
また、本発明は、計算装置２００に相当する情報処理装置のほか、この情報処理装置を含むカロリー管理システム、コンピュータ（ＣＰＵ等）をこの情報処理装置として機能させるためのプログラム、カロリー収支の推定方法などの形態でも提供可能である。また、このプログラムは、光ディスクなどの記録媒体に記録した形態や、インターネットなどのネットワークを介して所定の装置にダウンロードされ、これをインストールすることで利用可能になる形態などでも提供可能である。
【符号の説明】
【００５５】
１０…カロリー管理システム、１１…測定部、１２…取得部、１３…推定部、１４…処理実行部、１５…通知部、１６…算出部、１７…補正部、１００…測定装置、１１０…制御部、１２０…センサ部、１３０…通信部、１４０…操作部、１５０…表示部、２００…計算装置、２１０…制御部、２２０…記憶部、２３０…通信部、３００…ネットワーク
【図１】
0006609573.tif 000003
【図２】
0006609573.tif 000004
【図３】
0006609573.tif 000005
【図４】
0006609573.tif 000006
【図５】
0006609573.tif 000007
【図６】
0006609573.tif 000008
【図７】
0006609573.tif 000009
【図８】
0006609573.tif 000010